(57)【要約】      （修正有）【課題】光学機器装置における組立作業性の向上と装置の多様化を可能にするために、被検レンズの枠型保持ユニットにおけるスライド支持軸をワンタッチで取付ブラケットのガイド溝に着脱自在とし、かつ十分な保持力を得る機構を提供する。【解決手段】枠入れされた眼鏡レンズや丸レンズ等の被検レンズに対するＸ軸方向へのスライド自在な枠型フレーム部材７及び、対称的に配置された保持アーム部材等から構成された枠型保持ユニットを、そのスライド支持軸８とフリクション発生伝達用の大径ワッシャ２１及び弾性ゴム部材２２，２４を設けて着脱機構を構成した。【選択図】図４
2020106716.tif 000002
【特許請求の範囲】
【請求項１】
眼鏡フレームに枠入れされた眼鏡レンズ及び未加工の丸レンズを共に被検レンズとする
共用型の光学機器装置における光軸に対し、左右方向Ｘ軸に沿うよう機器本体の基部また
は機器本体の前面部の所定の高さ位置に設置されてなる、互いに平行関係を保ってＸ軸方
向の開口型ガイド溝とガイドレール部が形成された取付ブラケットに対し、当該取付ブラ
ケットの開口型ガイド溝に嵌合するスライド支持軸を長手方向の中央付近に設けた枠型フ
レーム部材と、眼鏡フレーム受部及び丸レンズ受部が形成された共用型保持パッド部を有
する左右二組の保持アーム部材により、枠型保持ユニットの骨格を構成し、当該枠型保持
ユニットにおける保持アーム部材は、上記枠型フレーム部材の枠内中心に対して対称的に
配置され、左右の各組毎に保持パッド部が互いに接近するようバネ付勢されてなるセンタ
リング機構及び、保持アーム部材の基端におけるセクターギヤの噛み合いを介して、上記
左右の保持パッド部相互の間隔が同期的に拡縮操作自在な拡縮機構として構成されてなり
、上記枠型保持ユニットにより形態の異なる被検レンズを適宜機械的に保持するよう構成
され、更にこの枠型保持ユニットにかかわる着脱機構として、そのスライド支持軸は、枠
型保持ユニットの枠型フレーム部材に対する軸線回りの相対的な回転を規制する面取部が
形成されている一方、軸線に沿って所定の距離だけ移動自在に組付けられていると共に、
このスライド支持軸と枠型フレーム部材間には適当なバネ手段が介装されて、スライド支
持軸の先端部に形成した先端嵌合部を、枠型フレーム部材から突出させて前記取付ブラケ
ットの開口型ガイド溝に摺動自在に嵌合させ、これにより枠型保持ユニットを開口型ガイ
ド溝に沿ってＸ軸方向にスライド操作自在になし、かつスライド支持軸の基端には操作摘
みを配置すると共に、上記枠型フレーム部材側の中央外側面と前記取付ブラケット側の
外側面とに対向する摩擦力伝達手段を配置し、この摩擦力伝達手段の所定の接触面部分に
おいて上記枠型フレーム部材の該当側面との間に適度な摩擦力を得るための第一の摩擦部
材を設けるのに対し、その摩擦力伝手段の残りの接触面部分において上記取付ブラケット
の該当側面との間に適度な摩擦力を得るための第二の摩擦部材を設けて、これ等の可動側
の枠型フレーム部材と固定側の取付ブラケットとの間の接触面において所定のフリクショ
ン保持力が発生するよう構成し、更に上記操作摘みまたは枠型フレーム部材を前記スライ
ド支持軸回りに回動操作することにより、被検レンズを枠型保持ユニットごと左右に適宜
傾動操作自在に構成すると共に、当該操作摘みを前記バネ手段に抗して更に軸線に沿い操
作することにより、スライド支持軸を枠型フレーム部材からの突出状態から後退させ、ス
ライド支持軸の先端嵌合部と開口型ガイド溝との嵌合状態を必要に応じて解除し、上記共
用型の枠型保持ユニットをワンタッチ式に取付ブラケットに対し着脱自在に構成したこと
を特徴とする光学機器装置における被検レンズの共用型枠型保持ユニットの着脱機構。
【請求項２】
眼鏡フレームに枠入れされた眼鏡レンズまたは未加工の丸レンズいずれかを被検レンズ
とする専用型の光学機器装置における光軸に対し、左右方向Ｘ軸に沿うよう機器本体の基
部または機器本体の前面部の所定の高さ位置において設置されてなる、互いに平行関係を
保ってＸ軸方向の開口型ガイド溝とガイドレール部が形成された取付ブラケットに対し、
当該取付ブラケットの開口型ガイド溝に嵌合するスライド支持軸を長手方向の中央付近に
設けた枠型フレーム部材と、眼鏡フレーム受部または丸レンズ受部の何れか一方が形成さ
れた専用型保持パッド部を有する左右二組の保持アーム部材により、枠型保持ユニットの
骨格を構成し、当該枠型保持ユニットにおける保持アーム部材は、上記枠型フレーム部材
の枠型中心に対して対称的に配置され、左右の各組毎に保持パッド部が互いに接近するよ
うバネ付勢されてなるセンタリング機構及び、保持アーム部材の基端におけるセクターギ
ヤの噛み合いを介して、上記左右の保持パッド部相互の間隔が同期的に拡縮操作自在な拡
縮機構として構成されてなり、上記枠型保持ユニットにより形態の異なる被検レンズを各々機械的に保持するよう構成され、更にこの枠型保持ユニットにかかわる着脱機構とし
て、そのスライド支持軸は、枠型保持ユニットの枠型フレーム部材に対する軸線回りの相
対的な回転を規制する面取部が形成されている一方、軸線に沿って所定の距離だけ移動自
在に組付けられていると共に、このスライド支持軸と枠型フレーム部材間には適当なバネ
手段が介装されて、スライド支持軸の先端部に形成した先端嵌合部を、枠型フレーム部材
から突出させて前記取付ブラケットの開口型ガイド溝に摺動自在に嵌合させ、これにより
枠型保持ユニットを開口型ガイド溝に沿ってＸ軸方向にスライド操作自在になし、かつス
ライド支持軸の基端には操作摘みを配置すると共に、、上記枠型フレーム部材側の中央外
側面と前記取付ブラケット側の外側面とに対向する摩擦伝達手段を配置し、この摩擦伝達
手段の所定の接触面部分において上記枠型フレーム部材の該当側面との間に適度な摩擦力
を得るための第一の摩擦部材を設けるのに対し、その摩擦伝達手段の残りの接触面部分に
おいて上記取付ブラケットの該当側面との間に適度な摩擦力を得るための第二の摩擦部材
を設けて、これ等の可動側の枠型フレーム部材と固定側の取付ブラケットとの間の接触面
において所定のフリクション保持力が発生するよう構成し、更に上記操作摘みまたは枠型
フレーム部材を前記スライド支持軸回りに回動操作することにより、被検レンズを枠型保
持ユニットごと左右に適宜傾動操作自在に構成すると共に、当該操作摘みを前記バネ手段
に抗して更に軸線に沿い操作することにより、スライド支持軸を枠型フレーム部材からの
突出状態から後退させ、スライド支持軸の先端嵌合部と開口型ガイド溝との嵌合状態を必
要に応じて解除し、上記専用型の枠型保持ユニットをワンタッチ式に取付ブラケットに対
し着脱自在に構成したことを特徴とする光学機器装置における被検レンズの共用型枠型保
持ユニットの着脱機構。
【請求項３】
上記請求項１項及び２項における光学機器装置が、眼鏡フレームに枠入れされた眼鏡レ
ンズ及びまたは加工前の丸レンズ等を被検レンズとし、これ等被検レンズの表面または裏
を観察または検査するための光学系として、被検レンズ表面側または裏側から照射するた
めの光源と、被検レンズに照射した光束を受光して撮像するための撮像手段からなる観察
光学系を内蔵したレンズチェッカーであって、その機器本体における取付ブラケットに対
する被検レンズの枠型保持ユニットが、軸線に沿いバネ付勢されたスライド支持軸と、こ
のスライド支持軸の基端に配置された操作摘みと、可動側枠型フレーム部材の外側面と
固定側取付ブラケット側の外側面とに対向するよう配置された摩擦伝達手段、及び適度な
摩擦力を得るための第一と第二の摩擦部材等からなる着脱機構を介して、光学機器本体の
取付ブラケットに対しワンタッチで着脱自在に構成され、かつ上記第一と第二の摩擦部材
における摩擦接触により、可動側の枠型フレーム部材と固定側の取付ブラケットとの間に
、所定のフリクション保持力が発生するよう構成したことを特徴とする、請求項１項及び
２項記載の枠型保持ユニットの着脱機構。
【請求項４】
上記請求項１項及び２項における光学機器装置が、眼鏡フレームに枠入れされた眼鏡レ
ンズ及びまたは加工前の丸レンズ等を被検レンズとし、これ等被検レンズの度数等の光学
特性を測定するための光学系として、被検レンズの表面側または裏側から透射するための
光源と、被検レンズを透過した透過光束を受光して光学特性を測定するための測定演算手
段からなる測定光学系を内蔵したレンズメーターであって、その機器本体における取付ブ
ラケットに対する被検レンズの枠型保持ユニットが、軸線に沿いバネ付勢されたスライド
支持軸と、このスライド支持軸の基端に配置された操作摘みと、可動側枠型フレーム部
材の外側面と固定側取付ブラケットの外側面とに対向するよう配置された摩擦力伝達手段
、及び適度な摩擦力を得るための第一と第二の摩擦部材等からなる着脱機構を介して、光
学機器本体の取付ブラケットに対しワンタッチで着脱自在に構成され、かつ上記第一と第
二の摩擦部材における摩擦接触により、可動側の枠型フレーム部材と固定側の取付ブラケ
ットとの間に、所定のフリクション保持力が発生するよう構成したことを特徴とする、請
求項１項及び２項記載の枠型保持ユニットの着脱機構。
【発明の詳細な説明】
【技術分野】
【０００１】
本発明は、眼鏡フレームに枠入れされた眼鏡レンズ並びに加工前の丸レンズ等の被検レ
ンズを機械的にセンタリング保持すると共に、被検レンズを少なくともＸ軸方向への平面
的な移動操作と、光軸に対する左右方向への傾動操作を夫々自在に、または複合的に行う
ことを可能にした枠型保持機構にして、殊に、光学機器本体における取付ブラケットに対
してワンタッチ式に着脱自在に構成してなると共に、その保持力を向上させたことを特徴
とする保持機構に関する。
【背景技術】
【０００２】
眼鏡フレームに枠入れされた眼鏡レンズや枠入れ加工前の丸レンズについて、これ等の
被検レンズ表面のキズや汚れ、或いは隠しマーク等の観察または外観品質の検査をするた
めのレンズチェッカーや、これ等被検レンズの度数等の光学特性を測定するためのレンズ
メーターなどがこの種の光学分野において多用されているが、これ等の光学機器装置にお
いては、その被検レンズを載置するためのレンズ載置台を装置本体に突設しているのが一
般的である。
そのため殊に、眼鏡フレームに枠入れされた眼鏡レンズを被検レンズとする場合には、装
置の基台に突設したレンズ載置台に眼鏡レンズをセットする際に、眼鏡フレームにおける
眼鏡ヅル（テンプル）を下向きに垂下させた状態でレンズ載置台の載置面に眼鏡レンズが
当接するようにセットすることとなり、この眼鏡ヅル（テンプル）の長さに相当する寸法
以上の高さ位置において、レンズ載置面を設けるために必要な高さ寸法が決定されている
のが実情で、装置全体の高さ寸法が大きい装置となっていた。
然も、枠入れされた眼鏡レンズや未加工の丸レンズ等の形態の異なる被検レンズを、機械
的に保持するのではなく、作業者の人手により被検レンズをレンズ載置台に置いて保持し
ているのが一般的な実情であり、作業者の熟練を要するものであった。
【０００３】
そしてこの種の光学機器装置においては、被検レンズの形態の差異、即ち眼鏡フレーム
に枠入れされた眼鏡レンズか未加工の丸レンズかの種類に合わせて、夫々の被検レンズに
対応する保持機構を具備した光学機器装置を取り揃えている場合が一般的であり、そのた
め設備費用が嵩むことを避けられないのが実情であった。
また、これ等の光学機器装置を組立てる場合には、被検レンズの保持機構がユニット化さ
れていないので、一台ごとに被検レンズの保持機構を本体に取付けて組み立てる如き作業
手順を実行することとなり、組立作業性が悪いばかりでなく、被検レンズの保持機構につ
いて注目した場合でも、機能的に形態の異なる被検レンズを機械的に保持して水平移動が
できるものであっても、被検レンズの傾動操作機能がないため、この傾動機能に関する新
たな追加機能を有するタイプのユニット化された保持機構の開発と共に、そのワンタッチ
式の着脱機構並びにその保持力を向上させた保持機構の開発が望まれていた。
【先行技術文献】
【特許文献】
【０００４】
上記した如く、眼鏡フレームに枠入れされた眼鏡レンズ及び未加工の丸レンズ等を被検
レンズとしているこの種の光学機器装置であるレンズメーターの代表例としては、例えば
下記の特許文献１を参照して説明するに、モニターテレビ２を光学測定部３の上方に設け
てなる測定装置本体１の正面中央部には、光学測定部３を構成するために突出（膨出）さ
せられた上部収納部４と、その下方に対向させて突出（膨出）させられた下部収納部５が
設けられていると共に、下部収納部５の上面に突出固定された裁頭円錐筒状のレンズ受６
及び測定光学系１０が設けられ、未加工の被検レンズＬを測定する場合は、公報図面の図
３に示されている如き状態にて被検レンズの測定を行い、また、メガネ７０のメガネフレ
ーム７１に枠入れされた左右のレンズ７２、７３を測定する場合は、公報図面の図１３に
示す如く、作業者は、まずメガネフレーム７１における眼鏡ヅルを下方に垂下した状態に
左手８１で保持して鼻当７４、７４を鼻当支持部材３２に当接すると共に、メガネフレー
ム７１におけるレンズ７２、７３の下端を当接部材３１に向けて押し付け、測定側のレン
ズ７２を下部収納部５上面のレンズ受け６に当接させるよう人手により保持しつつ、右手
８０でレバー３６を回動操作して測定光軸に対する前後方向の位置を調整すると共に、左
右方向の位置調整は左手８１を左右に移動して調整する。
【０００５】
即ち、この先行特許文献１のレンズメーターでは、先にも述べたように、光学機器装置
本体の前面に突設された下部収納部５を利用して、メガネフレーム７１の眼鏡ヅル（テン
プル）部分が下方に垂れ下がっても影響のないように高さ方向の寸法を確保しているので、
その分装置本体１の高さ方向の大型化を伴うものであり、装置の低床化並びに小型化を図
る際の障害となりコンパクトにできなかった。
加えてこの先行文献のものは、メガネフレーム７１を水平に保持することと、測定光軸に
合わせて被検レンズ７２、７３を前後左右に移動させて位置調整することについて、作業
者は左右の両手８０、８１を駆使して保持と調整と言う異なる操作を行わねばならないの
で、作業者は操作に対する熟練を要求されるばかりでなく、位置合わせ精度の面において
も正確性に劣ってしまうと言う、光学機器装置としてみたときに致命的な欠陥を伴うもの
に過ぎなかった。
然も、形態の異なる被検レンズに対する保持機構は夫々別々のものであり、本発明の目的
としているところの機械的保持とその保持機構のワンタッチ式着脱機構、並びにその保持
力の向上に加え、該当する保持機構のユニット化及び組立性の向上等に関する概念を開示
するものではなかった。
【０００６】
また、この種の光学機器における被検レンズの機械的な保持機構に注目した場合、未加
工の丸レンズと眼鏡フレームに枠入れされた眼鏡レンズとの双方の被検レンズに対する機
械的な保持機構の代表的な先行事例として、例えば下記の特許文献２が知られているが、
この場合も先の先行特許文献１におけると同様に被検レンズ４を載置するためのレンズテ
ーブル５３２が張り出されて突設されている一方で、公報図面の第１２図に開示されてい
る如く、眼鏡フレームのレンズ枠ＦＲをハンド片６００、６０１の上面６０５ｃに載せて
テンプルＦＴ（眼鏡ヅル）が下方に向けられた状態のまま、ハンド片６００、６０１の外
側面６０５ｄにて眼鏡フレームの左右方向への位置を規制し、レンズテーブル５３２の上
面におけるレンズ受部材５４１に対して、眼鏡レンズ４を機械的に保持する構成のため、
前記先行特許文献１、２におけると同様に、装置の高さ方向の低床化とコンパクト化を果
すことができないものである。
【０００７】
そして、この先行例の特徴とするところは、公報図面の第７（Ａ）図乃至第１０（Ａ）
図に詳細に開示されている如く、被検レンズ４を保持するための左右一対の挟持用ハンド
５３０、５３１を支えるアーム５２６、５２７が交差構造（シザーズ機構）に組合わされ
ていると共に、これ等のハンドアーム５２６、５２７を開閉させて未成形の被検レンズ４
を挟持する駆動系としてのアームモーター５２２とタイミングベルト５２５が設けられ、
然もこれ等のアーム部材５２６、５２７、５３０、５３１を支えるアームベース５２０を
水平状態を保ったまま、Ｘ軸方向に移動させるための駆動系としてのＸ軸送りネジ５０８
ａとガイドレール５０８ｂ及びそのＸ軸モータ５０４と、これ等をフランジ５０３ａｂご
とＹ軸方向へ移動させるための駆動系としてのＹ軸送りネジ５０５とガイドレール５０７
及びそのＹ軸モータ５０２と、更にはこれ等をＺ軸テーブル５０１ごとＺ軸方向へ移動す
るためのＺ軸送りネジ５０５等を三次元的に複雑に組み合わせてなる被検レンズ保持装置
が開示されているが、これ等は機構が複雑であるばかりでなく、丸レンズ４を保持するた
めに必要な操作要領と、眼鏡フレームＦＭを保持するために必要な操作要領に関し、これ
等の操作を行うための、上記アーム部材に関係する各部品の動作要領が全く逆であるため、
作業者による操作要領に混乱を来すものであると共に、誤操作を防止する観点からみても
好ましいものではなかった。
【０００８】
即ち、未成形の丸レンズ４を水平に保持する場合は、上記に述べたようにハンド５３０
、５３１の内側面６０５ａ、６０５ｂを互いに近接する方向に移動操作して未成形レンズ
４を挟持し保持するのに対し、眼鏡フレームＦＭを水平に保持する場合には、左右のハン
ド片６００、６０１の各上面６０５ｃにより左右の眼鏡フレームＦＭを受けると共に、左
右のハンド片６００、６０１の外側面６０５ｄを互いに離間する方向に移動操作し、眼鏡
フレームＦＭのテンプルＦＴを外側に広げるようにして保持するので、これ等の被検レン
ズの形態の違い基づく操作方向の違いにより、作業者に誤操作を招く恐れがあるばかりで
なく、同時に機械的な構成上の複雑さとも相俟って光学機器装置の操作性と操作精度に問
題を抱えたものに過ぎなかった。
然も、形態の異なる被検レンズに対する機械的な保持機構に注目して見た場合でも、その
機構が複雑で大掛かりであると共に組立性も悪く、更に本発明の目的としているところの
機械的保持とそのワンタッチ式の着脱機構、並びにその保持力が向上された保持機構自体
のユニット化に関すること、及び被検レンズの平面的移動と傾動操作に関する複合機能の
概念等を開示するものではなかった。
【０００９】
【特許文献１】特開平８−２９２９２号公報
【特許文献２】特開昭６１−１２０９３９号公報
【発明の概要】
【発明が解決しようとする課題】
【００１０】
本件出願人は既に、眼鏡フレームに枠入れされた眼鏡レンズ及び未加工の丸レンズにつ
いて、これ等の被検レンズ表面のキズや汚れ、或いは隠しマーク等を観察するための（外
観品質検査も含む）レンズチェッカーまたは、これ等被検レンズの度数等の光学特性を測
定するためのレンズメーターなど、この種の光学分野における光学機器装置において、従
来一般的に多用されていた被検レンズのためのレンズ載置台に起因した前記先行特許文献
１及び２における如き種々の不都合を解消するための、ユニット化された保持機構であっ
て、然もこれをワンタッチ式に着脱可能な発明に関する出願（特願２０１８−１９７４７
１号）をしており、本発明は殊に、この先願発明における被検レンズ用の保持機構部分の
ユニット化に伴う組立性の向上を図ることと相俟って、被検レンズの保持機構（枠型保持
ユニット）の保持力の向上を果して、当該保持機構の採用により光学機器装置としての互
換性と信頼性を高め得る光学機器装置の提供を可能にするためになされたものである。
【００１１】
従って、本発明における最終的な課題は、殊に眼鏡フレームに枠入れされた眼鏡レンズ
を被検レンズとする場合においても光学装置の低床化に有利なように、眼鏡フレームのテ
ンプルを下向きに垂下させるのに必要とされていた、テンプルの長さに相当する装置の高
さ寸法を低くすること、即ち従来の装置におけるような基台から上方に突設されたレンズ
載置台に代えて、全く新しい眼鏡フレームの機械的な枠型保持機構を提案するものであっ
て、枠型保持機構の枠内に未加工の丸レンズを機械的にセンタリング保持できることは勿
論のこと、眼鏡フレームに枠入れされた眼鏡レンズであっても、枠型保持機構の枠内に障
害となる構成部品が存在しない構成のために、被検レンズにおける眼鏡づる（テンプル）
の上下方向の向きに拘束されることなく、光学機器本体における枠型保持機構を取付ける
ための取付ブラケットの高さ方向の寸法設定に応じて、当該光学機器装置の低床化及びコ
ンパクト化を図ることが可能であり、このことは、この種の光学機器分野における技術的
課題を解決した先願発明におけると同様に可能であると共に、殊に異なる形態の被検レン
ズに対する水平保持力の向上を図り、以って保持機構としての高い信頼性を得るためにな
されたものである。
【００１２】
そして、本発明における重要な課題は、上記の枠型保持機構に関しこれをユニット化し
て、形態の異なる被検レンズに対応可能な枠型保持ユニットとして構成すると共に、前記
した先願発明におけると同様に、眼鏡フレームに枠入れされた眼鏡レンズ及び未加工の丸
レンズを被検レンズとし、これ等を保持したままＸ軸方向（左右方向）へ移動操作自在に
すると共に、左右方向への傾動操作を自由に行うことができる複合的な機能を予め備えて
いることは勿論のこと、それだけではなく、光学機器装置の組立製造時の作業性に関し、
一般的に行われているように一台ずつ組立て完成する方式に代え、予め別途にユニット化
して製造された被検レンズの枠型保持ユニットを設けると共に、当該保持ユニットを光学
機器本体に対して後付け的に、所謂ワンタッチ式に着脱自在とするために必要な着脱機構
に着目し、殊に取付ブラケットの開口型ガイド溝に対する枠型保持ユニットのスライド支
持軸における着脱機構を設け、これにより光学機器装置の生産性の向上を果すばかりでな
く、延いては光学機器装置としての多様化を容易に果たすことが可能なワンタッチ式の着
脱機構を提供すると共に、当該着脱機構を改良して、光学機器装置における取付ブラケッ
トに対する枠型保持ユニットの着脱機構部に関する保持性を大幅に向上させてなる保持機
構を開発し、以って光学機器装置として個別の機能を有する小型で低床化された、レンズ
チェッカーまたはレンズメーター等の提供を可能とすることにある。
【００１３】
また、この種の光学機器装置においては、一般的に被検レンズの異なる形態ごとに、夫
々対応する光学機器装置を取り揃えているのが通例であるが、光学機器を個別に取り揃え
ることは設備費用が嵩むことになるので、例えば、眼鏡フレームに枠入れされた眼鏡レン
ズを観察または測定することができるだけでなく、加工前の丸レンズについても、同一の
光学機器装置により同様に観察や測定をすることが可能な光学機器装置であることが望ま
れているが、本発明においては前記先願発明におけると同様に一台で異なる形態の被検レ
ンズに対応できることは勿論のこと、或いは逆に、被検レンズの枠型保持ユニットをワン
タッチで着脱自在に構成されていると言うことは、形態の異なる被検レンズ専用の個別の
光学機器装置としての変更もワンタッチで着脱変更できることとなり、然も枠型保持ユニ
ットの保持力も安定しているので、多様性のある光学機器装置を簡単に製造し提供できる
ものであり、本発明は、これらの要求課題を何れも達成可能で然も異なる形態の被検レン
ズ用の枠型保持ユニットとして、眼鏡フレームに枠入れされた眼鏡レンズ及び未加工の丸
レンズの双方に、または夫々個別に対応可能で、然も全く新しい機械的なセンタリング機
能付きで同期的動作の可能な枠型保持ユニットを提案し、延いては、光学に関する個別の
光学機能を有する小型で低床化された精度と操作性に優れ、然も保持力の安定したレンズ
チェッカーまたはレンズメーターを安価に提供することを可能にすることにある。
【課題を解決するための手段】
【００１４】
本発明の第一の特徴は、眼鏡フレームに枠入れされた眼鏡レンズ及び未加工の丸レンズ
を共に被検レンズとする共用型の光学機器装置における光軸に対し、左右方向Ｘ軸に沿う
よう機器本体の基部または機器本体の前面部の所定の高さ位置に設置されてなる、互いに
平行関係を保ってＸ軸方向の開口型ガイド溝とガイドレール部が形成された取付ブラケッ
トに対し、当該取付ブラケットの開口型ガイド溝に嵌合するスライド支持軸を長手方向の
中央付近に設けた枠型フレーム部材と、眼鏡フレーム受部及び丸レンズ受部が形成された
共用型保持パッド部を有する左右二組の保持アーム部材により、枠型保持ユニットの骨格
を構成し、当該枠型保持ユニットにおける保持アーム部材は、上記枠型フレーム部材の枠
内中心に対して対称的に配置され、左右の各組毎に保持パッド部が互いに接近するようバ
ネ付勢されてなるセンタリング機構及び、保持アーム部材の基端におけるセクターギヤの
噛み合いを介して、上記左右の保持パッド部相互の間隔が同期的に拡縮操作自在な拡縮機
構として構成されてなり、上記枠型保持ユニットにより形態の異なる被検レンズを適宜機
械的に保持するよう構成され、更にこの枠型保持ユニットにかかわる着脱機構として、そ
のスライド支持軸は、枠型保持ユニットの枠型フレーム部材に対する軸線回りの相対的な
回転を規制する面取部が形成されている一方、軸線に沿って所定の距離だけ移動自在に組
付けられていると共に、このスライド支持軸と枠型フレーム部材間には適当なバネ手段が
介装されて、スライド支持軸の先端部に形成した先端嵌合部を、枠型フレーム部材から突
出させて前記取付ブラケットの開口型ガイド溝に摺動自在に嵌合させ、これにより枠型保
持ユニットを開口型ガイド溝に沿ってＸ軸方向にスライド操作自在になし、かつスライド
支持軸の基端には操作摘みを配置すると共に、、上記枠型フレーム部材側の中央外側面と
前記取付ブラケット側の外側面とに対向する摩擦力伝達手段を配置し、この摩擦力伝達手
段の所定の接触面部分において上記枠型フレーム部材の該当側面との間に適度な摩擦力を
得るための第一の摩擦部材を設けるのに対し、その摩擦力伝手段の残りの接触面部分にお
いて上記取付ブラケットの該当側面との間に適度な摩擦力を得るための第二の摩擦部材を
設けて、これ等の可動側の枠型フレーム部材と固定側の取付ブラケットとの間の接触面に
おいて所定のフリクション保持力が発生するよう構成し、更に上記操作摘みまたは枠型フ
レーム部材を前記スライド支持軸回りに回動操作することにより、被検レンズを枠型保持
ユニットごと左右に適宜傾動操作自在に構成すると共に、当該操作摘みを前記バネ手段に
抗して更に軸線に沿い操作することにより、スライド支持軸を枠型フレーム部材からの突
出状態から後退させ、スライド支持軸の先端嵌合部と開口型ガイド溝との嵌合状態を必要
に応じて解除し、上記共用型の枠型保持ユニットをワンタッチ式に取付ブラケットに対し
て着脱自在に構成してなるものである。
【００１５】
そして、本発明の着脱機構の適用対象である光学機器装置のバリエーションとして、眼
鏡フレームに枠入れされた眼鏡レンズまたは未加工の丸レンズの何れかを被検レンズとす
る専用型の光学機器装置における光軸に対する左右方向Ｘ軸に沿うよう、機器本体の基部
または機器本体の前面部の所定の高さ位置において設置されてなる、互いに平行関係を保
ってＸ軸方向の開口型ガイド溝とガイドレール部が形成された取付ブラケットに対し、当
該取付ブラケットの開口型ガイド溝に嵌合するスライド支持軸を長手方向の中央付近に突
設してなる枠型フレーム部材と、眼鏡フレーム受部または丸レンズ受部の何れか一方が形
成された専用型保持パッド部を有する左右二組の保持アーム部材により、枠型保持ユニッ
トの骨格を構成し、当該枠型保持ユニットにおける保持アーム部材は、上記枠型フレーム
部材の枠内中心に対して対称的に配置され、左右の各組毎に保持パッド部が互いに接近す
るようバネ付勢されてなるセンタリング機構及び、保持アーム部材の基端におけるセクタ
ーギヤの噛み合いを介して、上記左右の保持パッド部相互の間隔が同期的に拡縮操作自在
な拡縮機構として構成されてなり、上記枠型保持ユニットにより形態の異なる被検レンズ
を各々機械的に保持するよう構成され、更にこの枠型保持ユニットにかかわる着脱機構と
して、そのスライド支持軸は、枠型保持ユニットの枠型フレーム部材に対する軸線回りの
相対的な回転を規制する面取部が形成されている一方、軸線に沿って所定の距離だけ移動
自在に組付けられていると共に、このスライド支持軸と枠型フレーム部材間には適当なバ
ネ手段が介装されて、スライド支持軸の先端部に形成した先端嵌合部を、枠型フレーム部
材から突出させて前記取付ブラケットの開口型ガイド溝に摺動自在に嵌合させ、これによ
り枠型保持ユニットを開口型ガイド溝に沿ってＸ軸方向にスライド操作自在になし、かつ
スライド支持軸の基端には操作摘みを配置すると共に、上記枠型フレーム部材側の中央
外側面と前記取付ブラケット側の外側面とに対向する摩擦伝達手段を配置し、この摩擦伝
達手段の所定の接触面部分において上記枠型フレーム部材の該当側面との間に適度な摩擦
力を得るための第一の摩擦部材を設けるのに対し、その摩擦伝達手段の残りの接触面部分
において上記取付ブラケットの該当側面との間に適度な摩擦力を得るための第二の摩擦部
材を設けて、これ等の可動側の枠型フレーム部材と固定側の取付ブラケットとの間の接触
面において所定のフリクション保持力が発生するよう構成し、更に上記操作摘みまたは枠
型フレーム部材を前記スライド支持軸回りに回動操作することにより、被検レンズを枠型
保持ユニットごと左右に適宜傾動操作自在に構成すると共に、当該操作摘みを前記バネ手
段に抗して更に軸線に沿い操作することにより、スライド支持軸を枠型フレーム部材から
の突出状態から後退させ、スライド支持軸の先端嵌合部と開口型ガイド溝との嵌合状態を
必要に応じて解除し、上記専用型の枠型保持ユニットをワンタッチ式に取付ブラケットに
対して着脱自在に構成してなるものである。
【００１６】
更に本発明においては、その適用対象とする光学機器装置が、眼鏡フレームに枠入れさ
れた眼鏡レンズ及びまたは加工前の丸レンズ等を被検レンズとし、これ等被検レンズの表
面または裏面を観察または検査するための光学系として、被検レンズの表面側または裏側
から照射するための光源と、被検レンズに照射した光束を受光して撮像するための撮像手
段からなる観察光学系を内蔵したレンズチェッカーであって、その機器本体おける取付ブ
ラケットに対する被検レンズの枠型保持ユニットが、軸線に沿いバネ付勢されたスライド
支持軸と、このスライド支持軸の基端に配置された操作摘みと、可動側枠型フレーム部
材の外側面と固定側取付ブラケットの外側面とに対向するよう配置された摩擦伝達手段、
及び適度な摩擦力を得るための第一と第二の摩擦部材等からなる着脱機構を介して、光学
機器本体の取付ブラケットに対しワンタッチで着脱自在に構成され、かつ上記第一と第二
の摩擦部材における摩擦接触により、可動側の枠型フレーム部材と固定側の取付ブラケッ
トとの間に、所定のフリクション保持力が発生するよう構成してなるものである。
【００１７】
また更に本発明においては、その適用対象とする光学機器装置が、眼鏡フレームに枠入
れされた眼鏡レンズ及びまたは加工前の丸レンズ等を被検レンズとし、これ等被検レンズ
の度数等の光学特性を測定するための光学系として、被検レンズの表面側または裏面側か
ら透過光を照射するための光源と、被検レンズを透過した透過光束を受光して光学特性を
測定する測定演算手段からなる測定光学系を内蔵したレンズメーターであって、その機器
本体における取付ブラケットに対する被検レンズの枠型保持ユニットが、軸線に沿いバネ
付勢されたスライド支持軸と、このスライド支持軸の基端に配置された操作摘みと、可
動側枠型フレーム部材の外側面と固定側取付ブラケットの外側面とに対向するよう配置さ
れた摩擦力伝達手段、及び適度な摩擦力を得るための第一と第二の摩擦部材等からなる着
脱機構を介して、光学機器本体の取付ブラケットに対しワンタッチで着脱自在に構成され
、かつ上記第一と第二の摩擦部材における摩擦接触により、可動側の枠型フレーム部材と
固定側の取付ブラケットとの間に、所定のフリクション保持力が発生するよう構成してな
るものである。
【発明の効果】
【００１８】
本発明は、従来の光学機器装置におけるような被検レンズの載置台を廃止して機械的に
被検レンズを保持することができる着脱自在な枠型保持ユニットを具備しているので、先
願発明（特願２０１８−−１９７４７１号）におけると同様に、光学機器装置の低床化と
小型コンパクト化を確実に果たすことができると共に、被検レンズを機械的にセンタリン
グ保持してＸ軸方向へのスライド移動と、スライドさせた任意の位置において適宜に左右
方向への傾動操作もできるので、被検レンズの移動に関する操作性の向上を図れるばかり
でなく、その操作と移動に関する安定した精度を提供することが可能な優れた効果を発揮
できる着脱機構である。
【００１９】
即ち、本発明における枠型保持ユニットの着脱機構は、光学機器本体の基部または機器
本体前面部の所定の高さ位置に設置されてなる、互いに平行関係を保ってＸ軸方向の開口
型ガイド溝とガイドレール部が形成された取付ブラケットに対し、当該取付ブラケットの
開口型ガイド溝に嵌合するスライド支持軸を長手方向の中央付近に設けた枠型フレーム部
材と、眼鏡フレーム受部及び丸レンズ受部が形成された共用型保持パッド部を有する左右
二組の保持アーム部材により、枠型保持ユニットの骨格を構成し、当該枠型保持ユニット
における保持アーム部材は、上記枠型フレーム部材の枠内中心に対して対称的に配置され
、左右の各組毎に保持パッド部が互いに接近するようバネ付勢されてなるセンタリング機
構及び、保持アーム部材の基端におけるセクターギヤの噛み合いを介して、上記左右の保
持パッド部相互の間隔が同期的に拡縮操作自在な拡縮機構として構成されてなり、上記枠
型保持ユニットにより形態の異なる被検レンズを適宜機械的に保持するよう構成され、当
該枠型保持ユニットにより例えば、眼鏡フレームのテンプルを上方に立ち上げたままの状
態、または下方に垂下したままの状態で保持する一方、丸レンズも枠内中央に夫々センタ
リング保持し、かつ上記スライド支持軸を介して被検レンズを枠型保持ユニットごと開口
型ガイド溝に沿ってＸ軸方向にスライド操作自在に、また開口型ガイド溝内の任意位置に
おいて、右方向または左方向に傾動操作自在に枠型保持ユニットが構成されているので、
上記した如き操作性と精度等の信頼性に優れた効果を発揮できるのである。
【００２０】
その結果、スライド支持軸を取付けブラケットの開口型ガイド溝に嵌合したままの使用
状態においては、スライド支持軸の基端に設けられた操作摘みを手動で適宜操作すること
により、枠型フレーム部材に保持された眼鏡フレームの眼鏡レンズや未加工の丸レンズを
、枠型保持ユニットごとＸ軸方向にスライド操作することができることは勿論のこと、保
持された被検レンズを枠型保持ユニットごと、必要に応じて上記操作摘みをスライド支持
軸回りに回転操作することにより（或いは、操作摘みによることなく枠型保持ユニットの
枠型フレーム部材を直接的にフリクション保持力に抗してスライド支持軸回りに回転操作
しても良い）、左右方向に自在に傾動操作することができるので、例えば被検レンズがハイ
カーブレンズや曲率の大きな丸レンズのような場合でも、光軸に対する面直状態を調整す
ることができ、或いは観察や測定のし易い状態に被検レンズを傾けて見ることができる優
れた操作性を備えた光学機器装置を、前記した先願発明におけると同様に実現可能にする
ことができるのであり、実用的にも優れた有用で特殊な効果を発揮できるものである。
【００２１】
そして、更なる特徴的効果は、上記した如くユニット化された被検レンズの枠型保持ユ
ニットを、そのスライド支持軸に関する本発明の着脱機構を介して光学機器本体の固定側
の取付ブラケットに対してワンタッチで装着自在に構成されてなるので、形態の異なる被
検レンズに対する保持機構部分のユニット化に伴う組立性の迅速化と生産効率の向上が図
れることと相俟って、被検レンズの枠型保持ユニットにおけるワンタッチ式の着脱機構に
より、光学機器装置としての被検レンズに対する所謂互換性（即ち形態の異なる被検レン
ズに対応した専用機器または共用機器などへの変更）を高められると共に、光学機器製品
に対する顧客の要望に応じた多様性のある光学機器装置を、夫々種々変更して提供するこ
とを容易に実現可能とし得る実用的効果を奏することができるものである。
一方、本発明における枠型保持ユニットにおいて、これを形成する保持アーム部材先端の
保持パッド部が、眼鏡フレーム受部と丸レンズ受部を共に有する共用型の場合には、枠入
れされた眼鏡レンズと未加工の丸レンズの何れにも一台の光学機器装置でありながら対応
することができるので、前述した先願発明におけると同様、異なる形態の被検レンズへの
対応が一台で可能であることにより、光学機器の設備費用にかかわる経済的観点において
も極めて有利であり、また光学機器の設置スペースも少なくて済む等、経済性と実用性に
優れた光学機器装置を実現させることかできるのである。
【００２２】
また、本発明にかかる着脱機構を備えた枠型保持ユニットにおいては、先願発明におけ
ると同様に、その枠型保持ユニットにおける保持アーム部材が、枠型フレーム部材の枠内
中心に対して対称的に配置されていて、その左右の各組毎に保持アーム部材が互いに接近
するようにバネ付勢されてなるセンタリング機構及び、保持アーム部材の基端におけるセ
クターギヤの噛み合いを介して、上記左右の保持アーム部材相互の間隔が同期的に拡縮操
作自在な拡縮機構として構成されているので、被検レンズの光学中心と光軸がセンタリン
グ機構により略一致するように保持されて便利である機能を併せ持ち、被検レンズをセッ
トする際に、左右の保持アーム部材が相互に同期的にかつ自動的に拡縮操作されるので、
被検レンズのセッティング操作を簡単に行うことができ、操作性に優れた効果を奏するこ
とができるのである。
然も枠型フレーム部材の枠内には、基本的に上記二組の保持パッド部付きの保持アーム部
材以外の機械的構成部品が存在していないため、保持パッド部に眼鏡レンズまたは丸レン
ズが保持されている限り、これ等被検レンズに対する光源からの光束に対する障害物がな
く、光学的に制約のない光学機器装置とすることが可能となり、これ等の優れた操作性と
光学系等に関する作用効果は、先願発明におけると同様に享受できるところである。
【００２３】
更に本発明にかかる着脱機構においては、そのスライド支持軸に関する特徴的構成とし
て、そのスライド支持軸は、枠型保持ユニットの枠型フレーム部材に対する軸線回りの相
対的な回転を規制する面取部が形成されている一方、軸線に沿って所定の距離だけ移動自
在に嵌合されていると共に、スライド支持軸と枠型フレーム部材間には適当なバネ手段が
介装されて、スライド支持軸の先端部に形成した先端嵌合部を、枠型フレーム部材から突
出させて前記取付ブラケットの開口型ガイド溝に摺動自在に嵌合させ、これにより枠型保
持ユニットを開口型ガイド溝に沿ってＸ軸方向にスライド操作自在に構成し、かつスライ
ド支持軸の基端には、操作摘みを配置すると共に、上記枠型フレーム部材側の中央外側
面と前記取付ブラケット側の外側面とに対向する摩擦伝達手段を配置し、この摩擦伝達手
段の所定の接触面部分において上記枠型フレーム部材の該当側面との間に適度な摩擦力を
得るための第一の摩擦部材を設けるのに対し、その摩擦伝達手段の残りの接触面部分にお
いて上記取付ブラケットの該当側面との間に適度な摩擦力を得るための第二の摩擦部材を
設けて、これ等の可動側の枠型フレーム部材と固定側の取付ブラケットとの間の接触面に
おいて所定のフリクション保持力が発生するよう構成し、更に上記操作摘みまたは枠型フ
レーム部材を前記スライド支持軸回りに回動操作することにより、被検レンズを枠型保持
ユニットごと左右に適宜傾動操作自在に構成すると共に、当該操作摘みを前記バネ手段に
抗して更に軸線に沿い操作することにより、スライド支持軸を枠型フレーム部材からの突
出状態から後退させ、スライド支持軸の先端嵌合部と開口型ガイド溝との嵌合状態を必要
に応じて解除し、上記専用型の枠型保持ユニットをワンタッチ式に取付ブラケットに対し
て着脱自在に構成したので、被検レンズの安定した操作性と保持力が得られる枠型保持ユ
ニットの採用を可能にし、顧客ニーズに応じたこの種光学機器装置の多彩なバリエーショ
ンを安価に提供することが可能になり、これにより優れた実用的経済的効果を奏すること
ができるのである。
【００２４】
なお、本発明にかかる着脱機構の適用対象とする光学機器装置については、光源に対向
して配置された受光側の光学系手段を一体的に備えたレンズチェッカーやレンズメーター
の他に、例えば受光側光学系手段を持たない直接的な目視観察型のレンズチェッカー等、
何れの形式であっても拘束されることはなく、その光学機器本体の基台または機器本体の
前面部の所定の高さ位置に設置されてなる、Ｘ軸方向の開口型ガイド溝及びガイドレール
部を有する取付ブラケットさえあれば、この固定側の取付ブラケットの開口型ガイド溝に
着脱自在に嵌合してスライド自在なスライド支持軸と、このスライド支持軸の基端に配置
された操作摘みと、枠型フレーム部材の外側面と取付ブラケットの外側面とに対向する
よう配置された摩擦力伝達手段、及び適度な摩擦力を得るための第一と第二の摩擦部材等
を構成要素とする本発明の着脱機構を設けることができるので、当該着脱機構を介した可
動側枠型フレーム部材と固定側取付ブラケットとの間の該当する摩擦接触面における所定
のフリクション保持力を発生させることができ、被検レンズの枠型保持ユニットを採用可
能にし、実施することができることは勿論である。
然も、適用対象である光学機器装置全体としての構成上も、汎用性のある装置として、こ
れを廉価に構成できるので、経済性にも実用性にも秀でた装置を多機能的に提供できるの
である。
【図面の簡単な説明】
【００２５】
【図１】図１は、本発明の着脱機構により被検レンズの枠型保持ユニットを採用して丸レンズを保持してなるレンズチェッカーまたはレンズメーターの外観を表す斜視図である。
【図２】図２は、本発明の着脱機構と枠型保持ユニット部分の説明用平面図。
【図３】図３は、図２の各部品関係の一例を表す説明用展開斜視図。
【図４】図４は、本発明の要部となる図２におけるＡ−Ａ矢視方向から見た説明用拡大縦断面図である。
【発明を実施するための形態】
【００２６】
本発明の実施例について、図１乃至図４に基づいて以下説明することとする。
図１は、本発明にかかる枠型保持ユニットの着脱機構を、適用対象となる光学機器装置と
してのレンズチェッカーまたはレンズメーターに適用した事例を示すものであり、図２は
その被検レンズの枠型保持機構である枠型保持ユニット１部分を取り出した平面図であり
、図３は図２の説明用部品展開図であり、本発明の主要部である枠型保持ユニット１のワ
ンタッチ式の着脱機構と、フリクション保持力の発生及びその操作要領については、拡大
縦断面図である図４に基づいて後述することとする。
なお、レンズチェッカー或いはレンズメーターとしての光学的な観察または測定要領と、
その操作機能等については、一般的なものと基本的に変わりがないので，その説明は省略
する。
図１は、例えば光学機器本体２ａの基部２ｂにおける照明用光源３と、この光源３に対し
て対向配置された受光側の撮像手段４からなる、所謂観察光学系を具備してなるレンズチ
ェッカーの全体構成を表す斜視図であり、この装置本体部２ａにおける基台２ｂ側の光源
３として照射光を発する光源とし、これに対向する受光側の撮像手段４が透過光の光学特
性を測定する測定演算部（図示せず）を具備してなる、所謂測定光学系を内蔵したレンズ
メーターであっても構わないが、本発明にかかる眼鏡レンズ及び丸レンズ等を被検レンズ
とする枠型保持ユニット１の取付に関する基本的構成は、本実施例の場合、光学機器本体
２ａの基台２ｂにおける中央に設けた光源３を保護する円筒部３ａに対し、光軸の左右方
向となるＸ軸方向に延びる開口型ガイド溝５ａを有する取付ブラケット５と、これと平行
関係の下に一体的に形成された凹型ガイド溝６ａを有るガイドレール部６が固定側の取付
支持部材として設けられ、これ等は基部２ｂから所定の高さ位置となるように基部２ｂの
光源円筒部３ａに取付固定される（なお、この取付固定位置は基部２ｂに限らず、機器本
体２ａの前面部の所定の高さ位置の何れであってもよいが、図示実施例では基台２ｂ側に
設けた事例を示す）と共に、当該取付ブラケット５及びガイドレール部６に対し、その開
口型ガイド溝５ａと水平軸方向において摺動自在に嵌合するスライド支持軸８を具備する
と共に、凹型ガイド溝６ａに上方から係合するよう下向きの突出部７ｃを形成してなる上
記枠型フレーム部材７の取付ボス部７ａにおいて、上記水平軸方向のスライド支持軸８と
直交する下向きの突出部７ｃとを介して、可動側の枠型保持ユニット１を構成する枠型フ
レーム部材７と固定側の取付ブラケット５及びガイドレール部６が組合せられているので
ある。
【００２７】
そして、本発明において採用しているところの上記枠型保持ユニット１における特徴的
な構成は、枠型保持ユニット１を構成するところの略矩形の枠型フレーム部材７の長手方
向中央付近に形成した取付ボス部７ａにおける上記スライド支持軸８と、その基端部に例
えば螺合手段やピン結合などにより一体的に設けられた操作摘み２０、及びフリクション
伝達に関与する、例えば、図示実施例の場合は大径ワッシャの事例を示してあるが、これ
に限らず操作摘み２０の鍔型部、或いは円形ワッシャに限らず小判型の部材等（何れも図
示せず）による摩擦伝達手段２１等からなるフリクション保持と着脱機構にかかわる構成
と、枠型フレーム部材７による被検レンズの機械的保持にかかわる機構に分けられるので
、最初に後者の機械的保持機構について、前記先願発明におけると同様な構成であるが図
２を参照して簡単に説明する。
即ち、本発明において採用している枠型保持ユニット１は、その主要な構成部品となる枠
型フレーム部材７と、その枠内中心に対して対称的に枢着配置された左右二組の保持アー
ム部材１１ａ及び１１ｂにより枠型保持ユニット１の骨格が構成され、後者の保持アーム
部材１１ａ及び１１ｂの先端部には、夫々上下二段に眼鏡フレーム受部９ａと丸レンズ受
部９ｂが側面に形成された保持パッド部１０ａ、１０ｂ及び１０ｃ、１０ｄが設けられ、
これ等左右各組の各保持アーム部材１１ａ及び１１ｂの基端は、夫々枢軸１２ａ及び１２
ｂにより枠型フレーム部材７に回動自在に枢着されている（図１及び図２参照）と共に、
各保持アーム部材１１ａ及び１１ｂに対して配備された適当なセンタリングバネ手段（図
示せず）により付勢されて、各組毎に先端部の各保持パッド部１０ａ、１０ｂ及び１０ｃ、
１０ｄが夫々枠型フレーム部材７の内側の枠内中心に向けて互いに接近し合い、被検レン
ズを機械的にセンタリング保持するセンタリング保持機構として機能するよう構成され、
かつ当該センタリング保持機構としての各保持アーム部材１１ａ及び１１ｂは、その基端
に形成されたセクターギヤ１３ａ及び１３ｂの噛合いを介して、上記左右の各組ごとにお
ける保持パッド部１０ａ、１０ｂ及び１０ｃ、１０ｄが互いに連動して相互の間隔を適宜
同期的かつ自動的に拡縮操作自在に構成されている。
【００２８】
なお、上記した各保持アーム部材１１ａ及び１１ｂに対する図示してないセンタリング
バネ手段は、夫々の基端部における枢軸１２ａ及び１２ｂ周りに配置するのが適当である
が、例えば図示してないが、枠型フレーム部材７の中心軸線上に位置する単一のバネ軸に
対して設けた左右のセンタリングバネにより、各組毎の保持アーム部材１１ａ及び１１ｂ
を互いに近接する方向に付勢するようセンタリング機構を構成することもできるものであ
り、その構成は同期的なセンタリングが可能であれば他の適当な構成を採用することがで
きるものである。
図中符号の１４ａ及び１４ｂは枠型フレーム部材７に対称的に穿孔されたガイド穴を、ま
た符号の１５ａ及び１５ｂは各保持アーム部材１１ａ及び１１ｂに設けたガイドピンを示
し、これ等の係合関係により各保持アーム部材１１ａ及び１１ｂの運動が適正範囲に規制
されるよう構成されているのである。また符号１６ａ及び１６ｂは、必要に応じて各保持
アーム部材１１ａ１１ｂの運動を所定の位置にロック保持するための部品として、上記枠
型フレーム部材７に対して各保持アーム部材１１ａ及び１１ｂの各組の一方の保持アーム
部材を締め付けてロック保持するために、ガイドピン１５ａ及び１５ｂに設けたロック摘
みネジを示す。
【００２９】
そしてこの枠型保持ユニット１により図１に示す如く、未加工の丸レンズＳＬを各保持
パッド部１０ａ、１０ｂ及び１０ｃ、１０ｄにおける丸レンズ受部９ｂにより、同期的か
つ自動的な作動の下に機械的にセンタリング保持することができるものである。
また、図示してないが、被検レンズは未加工の丸レンズに限られることなく、枠入れされ
た眼鏡レンズであってもその眼鏡フレームに対する眼鏡フレーム受部９ａにより、同様に
同期的かつ自動的な作動の下に機械的にセンタリング保持することができ、更にこの眼鏡
フレームの場合は、その眼鏡ヅル（テンプル）を上方に立ち上げたままの状態で保持する
ことができるほか、機器本体側における前記固定側の取付ブラケット５及びガイドレール
部６の取付高さ位置の設定如何によっては，枠型保持ユニット１における枠型フレーム部
材７の枠内において、上記保持アーム部材１１ａ及び１１ｂ以外の構成部品が存在してい
ないので、上記とは逆に眼鏡フレームのテンプルを下方に垂下した状態のままでも、機械
的にセンタリング保持することもできるものであり、光学機器装置における光軸に対し交
叉する平面内において、これ等の眼鏡フレームに枠入れされた眼鏡レンズ及び未加工の丸
レンズＳＬ等の何れの被検レンズであっても確実に機械的に保持し、然も枠型フレーム部
材７のスライド操作により、被検レンズと光軸の関係を最適な光学関係にするように適宜
Ｘ軸方向にスライド操作することができるよう構成されているのである。
【００３０】
更に上記本発明において採用する枠型保持ユニット１の特徴的な構成は、図示実施例に
おいて、略矩形の枠型フレーム部材７が、基台２ｂ上または機器本体２ａの前面における
所定の高さ位置に設置されているところの、Ｘ軸方向に延びる取付ブラケット５の開口型
ガイド溝５ａ及び、これと一体化されたガイドレール部６における凹型ガイド溝６ａによ
る固定側の取付支持部に対し、図４の拡大断面に詳細を示すように、可動側となる枠型フ
レーム部材７の取付ボス部７ａにおいて、固定側の取付ブラケット５に乗り掛かる鞍型部
７ｂ及び、固定側のガイドレール部６の凹型ガイド溝６ａに対して上方から係合するよう
に形成された下向き突出部７ｃが夫々形成されていると共に、その取付ボス部７ａに設け
るスライド支持軸８を介して固定側の取付ブラケット５と摺動並びに着脱自在に嵌合され
、かつ人為的にＸ軸方向にスライド自在に組合せてあり、当該スライド支持軸８における
本発明における特徴的な着脱機構とフリクション保持力の発生機構の構成について、以下
に図３の展開図と併せて説明する。
【００３１】
即ち、図４に示す縦断面図及び図３の展開図からも明らかなように、殊に光学機器本体
２ａの手前側に配置した枠型フレーム部材７の取付ボス部７ａに具備してなるスライド支
持軸８において、その先端部には、枠型フレーム部材７に対する軸線回りの相対的な回転
を規制するための面取り部８ａと、取付ブラケット５の開口型ガイド溝５ａに対し枠型フ
レーム部材７側から突出して摺動自在に嵌合するための先端嵌合部を有し、かつ当該スラ
イド支持軸８を枠型フレーム部材７に対し軸線に沿って所定の距離だけ移動自在に組付け
てなると共に、スライド支持軸８と枠型フレーム部材７との間には、トーションスプリン
グまたは圧縮バネ等の適当なバネ手段８ｂを介在させ、このバネ手段８ｂの端部８ｃをス
ライド支持軸８に結合することにより、そのバネ力によりスライド支持軸８を常に突出方
向へと付勢するよう構成してある。
【００３２】
一方、スライド支持軸８の基端部には、操作摘み２０を螺着すると共に、可動側の枠型
フレーム部材７の取付ボス部７ａと、固定側のガイドレール部６の長手方向の外側接触面
６ｂとの双方に当接する大きさの摩擦伝達手段２１（図示実施例の様な大径ワッシャや、
操作摘み２０と一体の鍔部或いは小判型部材などの何れでもよい）を配置し、当該摩擦伝
達手段２１の枠型フレーム部材７側には、図示実施例の場合は摩擦力をアップするための
摩擦ワッシャ２３を一体的に接着配置するのに対し、この摩擦伝達手段２１に対向する枠
型フレーム部材７の側面には、この摩擦伝達手段２１の適宜の接触面部分（例えば上方半
円部分）に対応するよう枠型フレーム部材７の該当側面において、摩擦伝達手段２１に対
する適度な弾性力を与えるための第一の摩擦部材２２を設け、当該第一摩擦部材２２の弾
性反発力を、上記摩擦伝達手段２１の残りの接触面部分（図示の場合は下方半円部分）を
介して、前記固定側の取付ブラケット５と一体のガイドレール部６の外側接触面６ｂに設けた第二の摩擦部材２４へと伝え、これ等の第一と第二の摩擦部材２２、２４に対する摩擦伝達手段２１を仲介にした摩擦力の伝達により、可動側の枠型フレーム部材７と固定側の取付ブラケット５との間に、所定のフリクション保持力が発生するよう構成してある。
なお、図示実施例では第二摩擦部材２４をガイドレール部６の概則接触面６ｂの全面に設けたフリクションシートの事例として紹介したが、この第二の摩擦部材２４は、反対側の摩擦伝達手段２１側に設けても構わない。
【００３３】
それ故本発明における特徴的なことは、このフリクション保持力に抗して上記操作摘み
２０をスライド支持軸８の軸回りに回動操作することにより、被検レンズを枠型保持ユニット１ごと左右に適宜傾動操作自在に構成できると共に、当該操作摘み２０を前記スライド支持軸８に対して設けたバネ手段８ｂに抗して更に軸線に沿って移動操作することにより、スライド支持軸８を枠型フレーム部材７の開口型ガイド溝５ａへの突出状態から後退させ、スライド支持軸８の先端嵌合部と開口型ガイド溝５ａとの嵌合状態を必要に応じて解除し、上記枠型保持ユニット１をワンタッチ式に固定側の取付ブラケット５に対し着脱自在に適宜操作することができるように、本発明における着脱機構が構成されていることを特徴とするものである。また、上記操作摘み２０とスライド支持軸８は一体化されていても良い。
【００３４】
従って、以上の構成により、ワンタッチ式の着脱操作を適宜自在に行うことができるこ
とに加え、被検レンズの保持状態においては、固定側の取付けブラケット５及びガイドレ
ール部６と、可動側の枠型フレーム部材７の取付ボス部７ａとの間には、枠型フレーム部
材７を略水平に維持し保持するのに適当なフリクション保持状態と、当該フリクション保
持力に抗して人為的にＸ軸方向へとスライド移動可能な嵌合状態が得られると共に、同様
にフリクション保持力に抗して操作摘み２０をスライド支持軸８回りに所定の範囲で回転
することによる左右方向の傾動操作等、これ等の各操作を夫々適宜必要に応じて自在に行
うことができるようになっている。
そのため本発明においては、これ等のスライド移動機構と傾動機構により、先願発明にお
けると同様に、被検レンズが、例えばハイカーブレンズや、曲率の大きな曲面を持つよう
な丸レンズ等の場合であっても、光軸に対する面直機能を果たすことが可能であり、この
ような特殊な被検レンズ表面の観察や測定機能を果すことができるのである。
【００３５】
なお、本発明の実施例において採用した枠型保持ユニット１は、眼鏡フレームに枠入れ
された眼鏡レンズや未加工の丸レンズなどの異なる形態の被検レンズに適応可能な保持機
構としての一実施例を図示したが、その枠型フレーム部材７に伴うメリットを逸脱しない
範囲において、例えばその全体的な形状等は図示の実施形状に拘束されるものではなく、
また枠型フレーム部材７のスライド移動と傾動操作及び取付ボス部７ａの形状、或いは所
望のワンタッチ式の着脱機能付きのスライド支持軸８におけるバネ手段８ｂ、操作摘み２
０の構成、並びに摩擦伝達手段２１と第一及び第二の摩擦部材２２及び２４等の構成によ
るフリクション保持力等々、その他必要な形状変更などは、本発明の本質的な技術思想を
逸脱しない範囲で、当業者がその構成部材の形状変更などを行うことは自由になし得ると
ころであり、本発明の技術的範囲に含まれること勿論である。
【００３６】
以上の如く構成された本発明にかかる被検レンズの枠型保持ユニット１が、着脱自在に
構成されている添付図面の実施例に基づき、その操作要領について、以下簡単に説明する
こととする。
まず、図１においては未加工の丸レンズＳＬを保持した場合であるが、枠型フレーム部材
７の左右における保持アーム部材１１ａ及び１１ｂの各組における一方の保持アーム部材
１１ａ及び１１ｂを外側に広げる方向に動かすことにより、夫々の組における保持アーム
部材１１ａ及び１１ｂがセクターギヤ１３ａまたは１３ｂの噛合いにより互いに離間する
方向に同期的に操作することができるので、左右の保持パッド部１０ａ、１０ｂ及び１０
ｃ、１０ｄを、互いに離間させた状態において保持パッド部１０ａ、１０ｂ及び１０ｃ、
１０ｄの各丸レンズ受部９ｂに被検レンズの丸レンズＳＬをセットし、保持アーム部材１
１ａ及び１１ｂを外側に広げる操作を止めることにより、各保持パッド部１０ａ、１０ｂ
及び１０ｃ、１０ｄにおける丸レンズ受部９ｂにより、図１に示す如く丸レンズＳＬを自
動的に挟持し、対称的に配置したセンタリングバネ（図示せず）の作用を受けてセンタリ
ング保持することができる。
【００３７】
この状態で丸レンズＳＬをＸ軸方向へ移動操作するには、可動側の枠型フレーム部材７
を固定側の取付ブラケット５の開口型ガイド溝５ａに沿ってそのスライド支持軸８による
略水平状態のまま或いは、後述する所望の傾動状態のまま枠型フレーム部材７ごと適宜操
作摘み２０を操作して、スライド支持軸８と一体化された摩擦伝達手段２１に対する第一
と第二の摩擦部材２２、２４の弾性反発力及び、当該弾性反発力に基づく摩擦伝達手段２
１の摩擦材２３（なお、この摩擦材２３は、摩擦伝達手段２１において所望とする摩擦力
が得られる場合には設ける必要はない）と、可動側枠型フレーム７の取付ボス部７ａとの
接触面及び、固定側ガイドレール部６の外側接触面６ｂとの接触面における摩擦接触によ
り得られる最適なフリクション保持力に抗して、上記可動側の枠型フレーム部材７を摺動
移動させて（または自動化することもできる）左右Ｘ軸方向に適宜移動操作することによ
り、丸レンズＳＬにおける隠しマーク設定部を観察光学系、或いは測定光学系の略光軸に
一致させるべく操作するだけで済むのである。
即ち、丸レンズＳＬに対して対称的に配置されている保持アーム部材１１ａ及び１１ｂに
よるセンタリング保持機能により、同一平面内におけるＹ軸方向への位置合せをする必要
がないので、同一平面内における位置調整はＸ軸方向のみで良いため、そのスライド操作
を簡単かつ容易に然も精度よく行うことができるので、本被検レンズの枠型保持ユニット
１を光学機器装置に組み込むことにより、光学機器装置としての性能向上と、操作性の向
上を同時に果すことができる優れた効果を発揮できる。
【００３８】
また更に、丸レンズＳＬを略水平に保持した状態から必要な角度だけ左右方向に傾動操
作する場合には、先にも述べたように取付ブラケット５の開口型ガイド溝５ａに嵌合させ
たスライド支持軸８を、これと一体的な大径ワッシャ２０を仲介にしたフリクション保持
力に抗して操作摘み２０により操作して、或いは枠型フレーム部材７を直接的に操作して
、枠型フレーム部材７自体を必要な所望の角度だけ左右に傾動操作することにより、即ち、
スライド支持軸８を固定側の開口型ガイド溝５ａにおける任意の位置において右回転或い
は左回転操作して、被検レンズを保持パッド部１０ａ、１０ｂ及び１０ｃ、１０ｄにより
保持したまま、枠型フレーム部材７ごと左右方向に適宜傾動操作し、かつその傾動状態の
まま任意にＸ軸方向にスライド移動操作することもできるものである。
【００３９】
以上、本発明にかかる着脱自在な枠型保持ユニット１により、被検レンズとしての丸レ
ンズＳＬを保持する操作要領について説明したが、本発明はこれに限られることはなく、
図示してないが眼鏡フレームに枠入れされた眼鏡レンズを被検レンズとする場合について
も、図示した実施例における各保持アーム部材１１ａ及び１１ｂ先端の保持パッド部１０
ａ、１０ｂ及び１０ｃ、１０ｄにおいては夫々眼鏡フレーム受部９ａが設けられているの
で、上記枠型保持ユニット１は、眼鏡フレームに枠入れされた眼鏡レンズを被検レンズと
して保持することもでき、そのＸ軸方向へのスライド操作要領、並びに左右方向への傾動
操作要領は、上記した丸レンズＳＬを被検レンズとした場合と変わりがないので、その説
明は省略することとする。
また、この眼鏡フレームに枠入れされた眼鏡レンズを被検レンズとする場合において、そ
の眼鏡フレームの眼鏡ヅル（テンプル）については、これを上方に立ち上げた状態のまま
或いは下方に垂下させた状態のままの何れの状態であっても、可動側の枠型フレーム部材
７の枠内には被検レンズをセンタリング保持するための部材、即ち枠内中心に対する四か
所の保持パッド部１０ａ、１０ｂ、１０ｃ、１０ｄしか存在していないので、枠型フレー
ム部材７を固定側の開口型ガイド溝５ａに沿って移動操作しても、一切枠型保持ユニット
１を構成する部材に接触することはなく、また上方の受光部４に対しても開口型ガイド溝
５ａ内のスライド移動で済むため干渉することもない。
【００４０】
次に、本発明の特徴である被検レンズの枠型保持ユニット１における着脱機構に関し、
光学機器装置本体における固定側の取付けブラケット５に対する着脱操作手順と要領につ
いて説明する。
光学機器装置については、その装置本体２ａの基台２ｂまたは装置本体２ａ前面の所定の
高さ位置において、取付ブラケット５及びガイドレール部６が設置されており、少なくと
も当該固定側の取付ブラケット５には、そのＸ軸方向に延びる開口型ガイド溝５ａが開口
されていることが必要な構成であり、従って本発明においては、光学機器装置本体の製造
ラインとは別の製造ラインにおいて、本発明における枠型保持ユニット１が、前記したよ
うに枠型フレーム部材７と保持アーム部材１１ａ、１１ｂ及び１１ｃ、１１ｄを基本的な
構成部品として、効率的にユニット化して組み立てることができ、光学部品の組み立てラ
インと機械部品のみによる組み立てラインを区別できる点において、一般的にクリーンな
作業工程が望まれる観点から見ても好ましいことである。
因みに、固定側ガイドレール部６における凹型ガイド溝６ａについては、可動側の枠型フ
レーム７の安定したスライド移動を向上させるためには有効なものである。
【００４１】
本発明の実施例においては、前記したように装置本体２ａの基台２ｂ上の光源円筒部３
ａを利用して所定の高さ位置において、取付ブラケット５が設置されており、この固定側
の取付ブラケット５に対して上記の如く組み立てられた枠型保持ユニット１を取付ける場
合、最初にスライド支持軸８における操作摘み２０をバネ手段８ｂに抗して更に圧縮する
方向に所定寸法だけ軸方向に操作して、スライド支持軸８先端の先端嵌合部が突出した状
態から、枠型フレーム部材７の内側に後退させた状態へと操作して保持する。
そしてこの状態を保ったまま、取付けブラケット５の開口型ガイド溝５ａに対して、上記
の状態に保持しているスライド支持軸８の先端嵌合部が対向するよう位置合わせし、操作
摘み２０の引張り力を緩めると、スライド支持軸８がバネ手段８ｂのバネ力の下に枠型フ
レーム部材７の外側に突出することとなり、その先端嵌合部が自動的に開口型ガイド溝５
ａに嵌合して、枠型保持ユニット１の取付けがワンタッチで完了する（図１、図４参照）
のである。
【００４２】
一方、上記の如く装着した枠型保持ユニット１の枠型フレーム部材７を光学機器装置か
ら取外す場合には、上記の装着時における初期の操作と同様に、操作摘み２０をバネ手段
８ｂに抗してスライド支持軸８の軸線に沿って移動操作し、スライド支持軸８の先端嵌合
部を開口型ガイド溝５ａから後退させることにより嵌合状態を解除して、固定側の取付ブ
ラケット５から枠型保持ユニット１を簡単に取外すことができる。
このようにワンタッチで簡単に着脱できるということは、顧客の要望に応じて形態の異な
る被検レンズに対応した枠型保持ユニット１が所望される場合などにおいて、交換着脱が
容易であるので迅速に対応することができると共に、顧客の要望に応じた光学機器の商品
揃えの観点においてメーカーサイドから見ても極めて有益な機構となるのである。
【００４３】
叙上のように、本発明にかかる被検レンズの枠型保持ユニットの着脱機構は、その枠型
保持ユニット自体が、眼鏡フレームに枠入れされた眼鏡レンズ及び未加工の丸レンズなど
の形態の異なる被検レンズ双方の保持機構として機能できるので、これを光学機器装置に
対し、スライド支持軸における特殊なワンタッチ式の着脱方式の採用により、単一の光学
機器装置でありながら、種々の被検レンズに対応した汎用性のある光学機器装置（殊に、
レンズチェッカー及びレンズメーター）とすることができることは勿論のこと、費用の嵩
む光学機器装置を異なる被検レンズの形態ごとに設ける必要が無くなるうえに、簡単に着
脱交換可能であることから、被検レンズに応じた機種の変更なども自在にかつ容易に組み
合わせて行うことができ、機能的に優れた光学機器装置を廉価に提供することを可能にし
、その経済的メリットが極めて大きなものとすることができるのである。
然も、ワンタッチ式の着脱方式であることと同時に、保持対象である枠型保持ユニットの
水平保持と、この水平保持とは相反する傾動操作にかかわるフリクション保持力を得るこ
とについて、この背反事象を適正かつ確実に実現し提供することができ、安定した保持力
を得ることと、Ｘ軸スライド移動操作と左右の傾動操作などに関する優れた操作性を兼ね
備えたものとして、優れた機能を実現し具備している機能部品を提供することができるも
のである。
【００４４】
なお、従来多用され基台に突設されていたレンズ載置台の廃止に伴う光学機器装置の高
さ方向の寸法の低床化を果し、装置全体としての小型コンパクト化を発揮できる効果を併
せて提供することができることは言うまでもない。
【産業上の利用可能性】
【００４５】
本発明にかかる被検レンズの枠型保持ユニットの着脱機構は、枠内に障害物が位置する
ことなく被検レンズを機械的にセンタリング保持して水平保持することができると共に、
形態の異なる被検レンズを少なくともＸ軸方向にスライド操作自在で、然も左右方向の傾
動操作も自在に行うことができるので、具体的な光学機器装置としてレンズチェッカー及
びレンズメーター等に採用して有効に利用できる。
【符号の説明】
【００４６】
１      被検レンズの枠型保持ユニット
５      固定側の取付ブラケット
５ａ    開口型ガイド溝
６      ガイドレール部
６ａ    凹型ガイド溝
６ｂ    外側接触面
７      枠型フレーム部材
７ａ    取付ボス部
８      スライド支持軸
８ａ    面取り部
８ｂ    バネ手段
９ａ    眼鏡フレーム受部
９ｂ    丸レンズ受部
１１ａ  保持アーム部材
１１ｂ  保持アーム部材
２０    操作摘み
２１    摩擦伝達手段
２２    第一の摩擦部材
２４    第二の摩擦部材
【図１】
2020106716.tif 000003
【図２】
2020106716.tif 000004
【図３】
2020106716.tif 000005
【図４】
2020106716.tif 000006